(57)【要約】【課題】  テレビジョンモニター等複数の入力端子を備えたＡＶ機器に於いて、リモコンや装置本体に配置された入力切り替えＳＷ操作により所定の順番にて外部信号が入力されている入力端子を選んで切り替えていく際、例えばＣＤとＶＤＶの両者を再生出来る機器にてＣＤを再生する場合には同期信号を出力しない機種の場合、或いはＭＤやＣＤ専用機と言ったオーディオ専用機器が接続された場合等、入力端子には同期信号が供給されていないが、スキップせずに選択したい。【解決手段】  各外部入力端子毎に画像入力信号の有無を検知する画像入力検知手段と、各外部入力端子毎に音声入力信号の有無を検知する音声入力検知手段とを具備し、入力切り替え操作時には画像入力検知手段と音声入力検知手段がともに無信号と判断した各外部入力端子のみ、選択せずにスキップする。【選択図】  図１
2005218001.tif 000002
【特許請求の範囲】
【請求項１】
画像信号と音声信号の組み合わせから成る外部入力信号を受ける複数組の外部入力端子と、
入力された画像及び音声信号を所定の順序にて１つずつ切り替えさせる為の入力切り替え操作手段と、
この入力切り替え操作手段に応じて複数の外部入力信号から１つを選択する入力選択手段と、各外部入力端子毎に画像入力信号の有無を検知する画像入力検知手段と、
各外部入力端子毎に音声入力信号の有無を検知する音声入力検知手段と、
を具備し、
入力切り替え操作手段にて入力の切り替え操作が成された時、画像入力検知手段と音声入力検知手段での判定結果を基に、画像信号／音声信号のいずれも入力されていないと判断した場合には、その入力手段をスキップする事を特徴とした外部入力切り替え方法。
【請求項２】
画像信号のみが入力されている場合には、音声信号をミュートする事を特徴とする請求項１記載の外部入力切り替え方法。
【請求項３】
画像信号のみが入力されている場合には、音声信号をミュートすると共に音声信号処理に関わる回路ブロックへの電源供給を停止する事により、消費電力を削減する事を特徴とする請求項２記載の外部入力切り替え方法。
【請求項４】
音声信号のみが入力されている場合には、所定の画像に置換する事を特徴とする請求項１記載の外部入力切り替え方法。
【請求項５】
音声信号のみが入力されている場合には、画面をミュートする事を特徴とする請求項１記載の外部入力切り替え方法。
【請求項６】
請求項５に於いて、画面をミュートすると共に画像信号処理に関わる回路ブロックへの電源供給を停止する事により、消費電力を削減する事を特徴とする請求項５記載の外部入力切り替え方法。
【発明の詳細な説明】
【技術分野】
【０００１】
本発明は、ＡＶ機器の外部入力切り替え制御に関するものである。
【背景技術】
【０００２】
外部入力端子を備えたテレビジョンモニターや、ビデオデッキ、ＤＶＤレコーダには複数の入力端子を備え、リモコンや装置本体に配置された入力切り替えＳＷ操作により、所定の順番にて入力端子を切り替えていくものが有る。近年、ＴＶ放送の高精細化や様々なＡＶ機器の登場により、テレビジョンモニターや、ビデオデッキ、ＤＶＤレコーダ等が具備する外部入力端子数も増加して来た。この様に外部入力端子数が増加して来ると、所定の順番にて入力端子を切り替えていく方式では所望の外部入力端子を選択した状態にたどり着くまでに入力切り替えＳＷ操作を幾度となく行わなければならず、操作がわずらわしいだけで無く、瞬時に所望の外部入力端子を選択出来ないと言った問題が発生して来た。
【０００３】
これに対応するため、例えば下記特許文献では各外部入力端子からの同期信号の有無を検知し、同期信号が入力されていない場合には、入力切り替えＳＷ操作に対しこれをスキップすると言うものがある。
【特許文献１】特開平０５−２０７３８６号公報
【発明の開示】
【発明が解決しようとする課題】
【０００４】
しかしながら以下の様なケースでは、同期信号が無い場合でもスキップして欲しくない。
【０００５】
第１のケースとして、例えばＣＤとＶＤＶの両者を再生出来る機器にてＣＤを再生する場合には同期信号を出力しない機種の場合。
【０００６】
第２のケースとして、例えばＭＤやＣＤ専用機と言ったオーディオ専用機器が接続された場合。これは近年ビデオソースが５．１チャンネルサラウンド等の様に、高音質のスピーカーシステムを接続して用いる場合、音楽のみのソースであっても同一のＡＶシステムに組み込む事が多く成って来るからである。
【０００７】
何れの場合も、入力端子には同期信号が供給されていないが、スキップせずに選択したい。
【課題を解決するための手段】
【０００８】
本発明は、画像信号と音声信号の組み合わせの信号を受ける複数組の外部入力端子からいずれか１組を選択する入力選択手段と、所定の順番に順次切り替えて行く入力切り替え操作手段と、各外部入力端子毎に画像入力信号の有無を検知する画像入力検知手段と、各外部入力端子毎に音声入力信号の有無を検知する音声入力検知手段とを具備し、入力切り替え操作時には画像入力検知手段と音声入力検知手段がともに無信号と判断した各外部入力端子は、選択せずにスキップする様にしたものである。
【発明の効果】
【０００９】
本発明は、画像信号と音声信号の組み合わせの信号を受ける複数組の外部入力端子からいずれか１組を選択する入力選択手段と、所定の順番に順次切り替えて行く入力切り替え操作手段と、各外部入力端子毎に画像入力信号の有無を検知する画像入力検知手段と、各外部入力端子毎に音声入力信号の有無を検知する音声入力検知手段とを具備し、入力切り替え操作時には画像入力検知手段と音声入力検知手段がともに無信号と判断した各外部入力端子のみを選択せずにスキップさせる事により、
入力信号が無い外部入力端子はスキップさせ多くの外部入力端子の中から素早く目的とする外部入力端子を選択出来る機能を残しつつ、音声信号しか入力されていない外部入力端子も短銃かつ素早い操作にて選択する事が出来る様にしたものである。
【発明を実施するための最良の形態】
【００１０】
（第１の実施例）
図１は本発明の第１の実施例に於ける回路ブロック図であり、同図中、１は第１の入力切り替え操作手段、２は外部入力切り替え制御を行うＣＰＵ、３はＣＰＵ用のメモリ、１１、２１、３１、…６１は、それぞれ第１、第２、第３、…第６の画像入力端子、１２、２２、３２、…６２は、それぞれ第１、第２、第３、…第６の画像入力検知手段、１３、２３、３３、…６３は、それぞれ第１、第２、第３、…第６の音声入力端子、１４、２４、３４、…６４は、それぞれ第１、第２、第３、…第６の音声入力検知手段、
８１は画像入力選択手段としての画像セレクター、８２は音声入力選択手段としての音声セレクター、である。
【００１１】
画像入力端子１１、２１、３１、…６１に入力された画像信号は、各画像入力検知手段１２、２２、３２、…６２に導かれるとともに画像セレクター８１に供給される。各画像入力検知手段１２、２２、３２、…６２はそれぞれの画像入力端子に画像信号が入力されているか否かを常に判定し、ＣＰＵ２の求めに応じてこれを伝える。図３は画像入力検知手段の一例であり、同期分離回路ブロック２０２にて同期信号を抜き出し、抵抗２０３とコンデンサ２０５から成る積分回路にて構成されている。
【００１２】
一方、音声入力端子１３、２３、３３、…６３に入力された音声信号も同様に、各音声入力検知手段１４、２４、３４、…６４に導かれるとともに音声セレクター８２に供給される。各音声入力検知手段１４、２４、３４、…６４はそれぞれの音声入力端子に音声信号が入力されているか否かを常に判定し、ＣＰＵ２の求めに応じてこれを伝える。図４は音声入力検知手段の一例であり、検波用ダイオード３０２にて正方向の振幅のみを抜き出し、コンデンサ３０４にピーク値をホールドさせる。抵抗３０３はこのコンデンサ３０４に蓄えられた電荷を放電させるためのものであり、コンデンサ３０４が保持する時間を１０秒程度保てる様な時定数とする。これはＣＤ等の音楽ソフトでは曲間ミュートと呼ばれる数秒間の無信号期間があるので、これに反応させない為である。
【００１３】
さて、ＣＰＵ２は絶えずこの各画像入力検知手段１２、２２、３２、…６２及び各音声入力検知手段１４、２４、３４、…６４からの情報を監視しその状況をメモリ３に記憶するとともに、操作ＳＷの操作がなされた場合にはその情報を元に選択すべき外部入力端子を決定し画像セレクター８１及び音声セレクター８２を駆動する。そして画像セレクター８１及び音声セレクター８２にて選択されたいずれか１組の入力信号が不図示の後段回路ブロックに出力される。
【００１４】
この時、ＣＰＵ２にて成される処理をフローチャートとして表したものが図４である。
【００１５】
ステップ４０１からスタートし、ステップ４０２にて、各画像入力端子に画像信号が供給されているか否かの情報を各画像入力検知手段１２、２２、３２、…６２から受け取り、次ステップ４０３にてその状況をメモリ３に記憶する。そして同様にステップ４０４、４０５にて各音声入力端子に音声信号が供給されているか否かの情報を各音声入力検知手段１４、２４、３４、…６４から受け取りその状況をメモリ３に記憶する。
【００１６】
次にステップ３０６にてＳＷ１の操作が成されたか否かの判定を行い、もしＳＷ１が操作されていた場合にはステップ４０７にてメモリ３に記憶してある信号入力状況を読み出し、ステップ４０８にて次に選択すべき外部入力端子を決定し画像セレクター８１及び音声セレクター８２に指示を出す。又ＳＷ１が操作されていない場合にはこの処理を飛ばし、いずれの場合もステップ４０９にて１００ｍＳｅｃ．待ち、ステップ４０２に戻る。
【００１７】
尚、図４に示したフローチャートは概念を説明する為に作成されたものであり、実際には様々なアレンジが必要である。例えばステップ４０６にてＳＷ１の操作をチェックするがチャタリングを除去する何らかの手段が必要である事は言うまでも無い。
【００１８】
又、このＳＷ１は、機器本体に配置されたものには限定されず、例えば赤外線リモコンからの操作に対応する場合にはそれに応じたアレンジがあり得る。
【００１９】
そしてステップ４０９での待ち時間も１００ｍＳｅｃに限定されるものでは無く、更には１回のループが所定の値と成る様、タイマーを用いても本発明の趣旨には何ら変わりは無い。
【００２０】
この時のＳＷ１操作により入力切り替えがどの様に成されるかを概念的に表したのが図５である。同図に於いて１０１、１０２、１０３、…１０６はそれぞれ第１、第２、第３…第６の入力端子組を表し、ＬＩＮＥ−１〜４、Ｄ端子−１〜２の、計６系統がある。そして各外部入力端子名称の末尾に示されている、○と△、×の記号であるが、○は画像信号が入力されている状態を、△は音声信号のみが入力されている状態を、そして×は信号が何も入力されていない状態をあらわしており、この場合、ＬＩＮＥ−１、ＬＩＮＥ−２、Ｄ端子−１、の３つには画像信号が、そしてＬＩＮＥ−３には音声信号のみが入力されている例である。
【００２１】
ここでもし、ＬＩＮＥ−１が選択されている状態で入力切り替え操作手段の操作がなされた場合、画像信号若しくは音声信号が入力された外部入力端子のみを選びながら、点線矢印１１１、１１２、１１３、１１４の経路をたどりＬＩＮＥ−１⇒ＬＩＮＥ−２⇒ＬＩＮＥ−３⇒Ｄ端子−１⇒ＬＩＮＥ−１の順番で切り替わって行く。
【００２２】
尚、図１に示した回路ブロック図では、第１、第２、第３、…第６の６系統の画像及び音声入力端子組とこれに対応する画像及び音声入力検知手段が６組あるが、特に６組に限定されるものでは無い事は言うまでも無く、更に画像入力端子１１、２１、３１、…６１が受け取る信号はアナログ信号に限定されるものでは無く、例えばＤＶＩ端子の様にデジタル信号として受けるもの、或るいは、アナログ信号とデジタル信号が混在するシステムであっても良い。また音声入力端子１３、２３、３３、…６３もアナログ信号に限定されるものでは無く、更にはアナログ音声信号の場合、Ｌ／Ｒの２チャンネル信号や更にサラウンド対応の多チャンネルであっても良い。
【００２３】
そして音声信号のみが入力されている入力端子を選択した場合には、画像信号をミュートしたり、或いはブルー一色の画面等の様な所定の画像に置換する事や、描画処理に関わる回路ブロックの電源を落とし消費電力を下げることも考えられる。
【００２４】
又反対に、画像信号のみで音声信号が入力されていない入力端子を選択した場合には、音声ノイズを発しない為にミュートしたり、或いは音声出力に関わる回路ブロックの電源を落とし消費電力を下げることも考えられる。
【００２５】
（第２の実施例）
図６は第２の実施例に於ける回路ブロック図であり、第１の実施例と同等の機能を有するブロックには同一の番号が割り当てられている。９２は第１の実施例の場合の画像入力検知手段１２、２２、３２、…６２とほぼ同等の入力検知手段、９４は第１の実施例の場合の音声入力検知手段１４、２４、３４、…６４とほぼ同等の音声入力検知手段であり、８３、８４は画像セレクター８１、音声セレクター８２とほぼ同等の第３、第４のセレクターである。
【００２６】
この実施例では第１の実施例の場合の様に画像及び音声入力検知手段を各外部入力端子毎に用意するのでは無く、第３のセレクター８３にて１つの画像入力検知手段９２への画像信号入力を、第４のセレクター８４にて１つの音声入力検知手段９４への音声信号入力を、それぞれ逐一切り替える用にしたものである。
【００２７】
この場合、ＣＰＵ２での処理方法は第１の実施例のそれと異なる事は言うまでも無いが、その結果得られる操作感は図５を用いて説明したものと同等の機能が可能である。
【図面の簡単な説明】
【００２８】
【図１】第１の実施例による回路ブロック図
【図２】画像入力検知手段の回路ブロック図
【図３】音声入力検知手段の回路ブロック図
【図４】フローチャート
【図５】入力切り替え操作時の選択動作概念図
【図６】第２の実施例による回路ブロック図
【符号の説明】
【００２９】
１  操作ＳＷ
２  ＣＰＵ
３  ＣＰＵ用メモリ
１１、２１、３１、４１、５１、６１  画像入力端子
１２、２２、３２、４２、５２、６２、９２  画像入力検知手段
１３、２３、３３、４３、５３、６３  音声入力端子
１４、２４、３４、４４、５４、６４、９４  音声入力検知手段
８１、８３  入力選択手段としてのセレクター
【図１】
2005218001.tif 000003
【図２】
2005218001.tif 000004
【図３】
2005218001.tif 000005
【図４】
2005218001.tif 000006
【図５】
2005218001.tif 000007
【図６】
2005218001.tif 000008